(57)【要約】【課題】  スリーブ内に大気が侵入することを抑制しつつ簡単に冷凍機のメンテナンス作業を行うことができる極低温装置について、そのメンテナンス作業に適した運転方法を提供する。【解決手段】  大気圧条件下における液体ヘリウム５０の沸点未満の過冷却温度となるように、前記液体ヘリウム５０を冷凍機９によって冷却する加冷却工程と、前記液体ヘリウム５０が前記過冷却温度に冷却された後に、スリーブ５に対して冷凍機９よりも格納容器４側の位置からヘリウムガスを導入可能なガス流生成手段１０によって、スリーブ５内に開口部８及び液体ヘリウム５０の液面３ａヘ向かうパージガス流を生成するガス流生成工程と、前記ガス流生成工程を行っている間に前記冷凍機９を交換する交換工程とを含んでいる。【選択図】      図２
2006200771.tif 000002
【特許請求の範囲】
【請求項１】
被冷却体を液体冷媒中に浸漬した状態で格納する格納容器と、この格納容器から前記液体冷媒の液面の上方へ延びて開口するスリーブと、前記開口部を閉塞しつつスリーブ内に着脱自在に挿入されるとともに当該スリーブ内で気化している前記液体冷媒を再凝縮する冷凍機とを備えた極低温装置についての、前記冷凍機の交換作業に適した運転方法であって、
前記液体冷媒が大気圧条件下における当該液体冷媒の沸点未満の過冷却温度となるように、前記液体冷媒を前記冷凍機によって冷却する過冷却工程と、
前記液体冷媒が前記過冷却温度に冷却された状態で、前記スリーブに対して冷凍機よりも格納容器側の位置からパージガスを導入可能なガス流生成手段によって、前記スリーブ内に前記開口部及び液体冷媒の液面へ向かうパージガス流を生成するガス流生成工程と、
前記ガス流生成工程を行っている間に前記冷凍機を交換する交換工程とを含むことを特徴とする極低温装置の運転方法。
【請求項２】
前記極低温装置の通常運転時には前記液体冷媒を大気圧条件下における前記液体冷媒の沸点以上の温度に維持するようにし、前記交換工程を行う前に前記通常運転から前記過冷却工程の過冷却運転に移行することを特徴とする請求項１に記載の極低温装置の運転方法。
【請求項３】
前記冷凍機の冷却能力を、前記液体冷媒を前記過冷却温度まで冷却可能となる能力に設定しておき、前記通常運転時には前記冷凍機を運転しながら、当該冷凍機又はスリーブ内に設けられた加熱手段による熱量を調整して前記液体冷媒の温度を調整するようにし、前記過冷却工程では前記冷凍機を運転したまま前記加熱手段を停止することにより前記液体冷媒を過冷却温度まで冷却することを特徴とする請求項２に記載の極低温装置の運転方法。
【発明の詳細な説明】
【技術分野】
【０００１】
本発明は、超伝導磁石等を冷却する極低温装置の技術に関するものである。
【背景技術】
【０００２】
例えば、医療用機器として知られるＭＲＩ（磁気共鳴断層撮影装置）のように、超伝導磁石（超伝導マグネット）を備えた装置には、その超伝導（超電導）特性を維持するために、前記超電導磁石を絶対零度に近い超低温に保冷する極低温装置が設けられているのが一般である。
【０００３】
前記極低温装置には、冷媒としての液体ヘリウム中に前記超電導磁石をはじめとする被冷却体を浸漬することにより、当該超電導磁石を冷却するようにしたものがある。
【０００４】
この種の極低温装置は、前記超電導磁石をはじめとする被冷却体を液体ヘリウム中に浸漬した状態で格納する格納容器と、この格納容器から突出するとともに当該格納容器の内外を連通するスリーブと、このスリーブに対してその先端開口を閉塞しつつ挿入された冷凍機とを備え、この冷凍機により前記格納容器及びスリーブ内で気化しているヘリウムを再凝縮するようになっている。
【０００５】
そして、前記冷凍機は、比較的長時間稼動するので定期的なメンテナンスを要するが、このメンテナンスの際には前記スリーブから抜き取られることが多い。
【０００６】
この抜き取り作業においては、前記スリーブ内の容積の内、冷凍機が占めていた容積分の外気（大気、水蒸気等）がスリーブ内に侵入し、この外気がスリーブ内で凝縮し固着してしまうといった不具合を生じるおそれがあった。
【０００７】
そこで従来は、例えば、特許文献１のように、可撓性を有するメンテナンス袋によりスリーブの先端開口を被覆するとともにこのメンテナンス袋内の空気を排出した上で、ヘリウムガスを導入して膨張させた当該メンテナンス袋内（すなわち、ヘリウムガスの雰囲気内）で冷凍機のメンテナンスを行うといった方法が提案されている。
【特許文献１】特開平５−２２３３７９号公報（第３頁〜第５頁、図４）
【発明の開示】
【発明が解決しようとする課題】
【０００８】
しかしながら、特許文献１に記載された方法では、メンテナンスの際にわざわざメンテナンス袋をスリーブに取り付けるとともに、当該メンテナンス袋から空気を吸引するための吸引ブロア等を用意する必要があり、その準備作業が面倒なものであった。
【０００９】
加えて、作業者は、グローブを介してメンテナンス袋内に手を差し入れて冷凍機のメンテナンスを行う必要があり、煩雑な作業を強いられていた。さらに、メンテナンス袋が破ける等の事態によってメンテナンス作業を中断することもあった。
【００１０】
本発明は、前記課題に鑑みてなされたものであり、スリーブ内に大気が侵入することを抑制しつつ簡単に冷凍機のメンテナンス作業を行うことができる極低温装置について、その冷凍機の交換作業に適した運転方法を提供することを目的としている。
【課題を解決するための手段】
【００１１】
前記課題を解決するために本件出願人は、冷凍機を交換する際に、当該冷凍機よりも格納容器側の位置からスリーブの開口部側へ向かうパージガス流をスリーブ内に生成するように極低温装置を運転する方法に想到した。
【００１２】
この極低温装置の運転方法によれば、スリーブから冷凍機を抜き取る際に、当該スリーブ内を流れるパージガス流により、スリーブ内に入り込もうとする外気（大気や水蒸気）を吹き飛ばすことができるので、当該外気の侵入を確実に阻止することができる。
【００１３】
しかし、前記運転方法では、冷凍機を抜き取る際に前記冷凍機を停止するとともに常温のパージガスを導入するようにしているので、当該パージガスによる液体冷媒への熱侵入が発生し、この熱侵入は、前記液体へリウムが前記格納容器から喪失する直接の原因となっていた。
【００１４】
そこで、本発明は、被冷却体を液体冷媒中に浸漬した状態で格納する格納容器と、この格納容器から前記液体冷媒の液面の上方へ延びて開口するスリーブと、前記開口部を閉塞しつつスリーブ内に着脱自在に挿入されるとともに当該スリーブ内で気化している前記液体冷媒を再凝縮する冷凍機とを備えた極低温装置についての、前記冷凍機の交換作業に適した運転方法であって、前記液体冷媒が大気圧条件下における当該液体冷媒の沸点未満の過冷却温度となるように、前記液体冷媒を前記冷凍機によって冷却する過冷却工程と、前記液体冷媒が前記過冷却温度に冷却された状態で、前記スリーブに対して冷凍機よりも格納容器側の位置からパージガスを導入可能なガス流生成手段によって、前記スリーブ内に前記開口部及び液体冷媒の液面へ向かうパージガス流を生成するガス流生成工程と、前記ガス流生成工程を行っている間に前記冷凍機を交換する交換工程とを含む方法である。
【００１５】
本発明の運転方法によれば、液体冷媒が過冷却温度に冷却された状態でパージガスの導入を開始し、その間に冷凍機を交換するようにしているので、前記パージガスの導入によって液体冷媒が蒸発する個所を、主にその液面付近のみに抑えることができ、当該液体冷媒の蒸発量を低減することができる。
【００１６】
すなわち、本発明の運転方法では、ガス流生成手段によりパージガスが導入される際に予め液体冷媒を過冷却温度に冷却しているので、そのパージガスが液体冷媒の液面に吹き付けられても、その液面温度は比較的迅速に上昇して当該液面付近の液体冷媒は蒸発するものの、その侵入熱は当該液体冷媒の深部には伝わり難く、当該深部はしばらくの間低温状態を維持できるので、その間に冷凍機の交換を行うことによって、液体冷媒の総蒸発量を効果的に低減することができる。
【００１７】
ここで、前記パージガスにより液体冷媒の液面に対する熱侵入が生じるにもかかわらず深部への熱伝達が生じ難いのは、前記パージガスを吹き付けても液体冷媒中に殆ど対流が発生しないことが大きな要因となっている。つまり、前記運転方法では、液体冷媒よりも高い温度を有するパージガスにより当該液体冷媒の液面温度は比較的速く上昇するものの、対流は殆ど生じないので、当該パージガスにより侵入した熱は深部側へ移動し難く、当該深部側の温度がすぐには上昇しないので、その間に冷凍機の交換を素早く行えば、蒸発量を効果的に低減することができる。
【００１８】
なお、前記冷凍機の「交換」とは、必ずしもそれまでスリーブに装着されていた冷凍機を別の冷凍機に入れ替える作業に限られず、スリーブから抜き取った冷凍機のメンテナンスを迅速に行って、そのメンテナンス後の冷凍機を再びスリーブに挿入する作業も含む趣旨である。
【００１９】
前記極低温装置の運転方法では、常に過冷却運転を行うようにしてもよいが、通常運転時は、前記液体冷媒を大気圧条件下における前記液体冷媒の沸点以上の温度に維持するようにし、前記交換工程を行うのに際して前記過冷却工程を行うことがより好ましい。
【００２０】
このように、通常運転時には液体冷媒を大気圧条件下における沸点以上の温度で維持することにより、格納容器内で気化した冷媒の飽和蒸気圧によって当該格納容器内を大気圧以上の圧力環境として、スリーブに対する冷凍機の装着個所（気密形成個所）等から格納容器内に外気が吸引され易い圧力状況を回避する一方、冷凍機交換の際にのみ一時的に過冷却温度とすることにより前述の効果を得ることができる。
【００２１】
このような通常運転から過冷却運転への移行は、冷凍機の冷却能力を変化させることによっても可能であるが、当該冷却能力を精度良く調整するのは容易ではない。これに対し、前記冷凍機の冷却能力を、前記液体冷媒を前記過冷却温度まで冷却可能となる能力に設定しておき、前記通常運転時には前記冷凍機を運転しながら、当該冷凍機又はスリーブ内に設けられた加熱手段による熱量を調整して前記液体冷媒の温度を調整するようにし、前記過冷却工程では前記冷凍機を運転したまま前記加熱手段を停止することにより前記液体冷媒を過冷却温度まで冷却するようにすれば、通常運転時には加熱手段による熱量、例えば電熱ヒータへの電力供給を調整することにより適正な温度調整が容易にできる一方、この状態から加熱手段を停止させるだけの簡単な操作で過冷却運転に移行することができる。
【発明の効果】
【００２２】
本発明によれば、スリーブ内に大気が侵入することを抑制しつつ簡単に冷凍機のメンテナンス作業を行うことができるとともに、液体冷媒の蒸発量を低減することができる。
【発明を実施するための最良の形態】
【００２３】
以下、本発明に係る冷凍機の交換作業に適した運転方法が採用される極低温装置の具体的構成について図１〜図３を参照して説明する。
【００２４】
図１は、本発明の実施形態に係る極低温装置が搭載されたＭＲＩの正面断面略図であり、図２は、図１の極低温装置の要部を拡大して示す正面断面図であり、図３は、図１の極低温装置における液体溶媒の温度を示すグラフである。
【００２５】
図示の極低温装置１は、被冷却体２（図例では超伝導磁石２）を液体ヘリウム（液体冷媒）３内に浸漬した状態で格納する格納容器４を備え、この格納容器４は、シールド容器１１内に収容され、さらにこのシールド容器１１が減圧容器７内に収容されている。そして、これら超伝導磁石２及び容器４、７、１１は、それぞれその軸線を水平方向へ向けたドーナツ状に形成されている。つまり、この極低温装置１を搭載したＭＲＩにおいては、被検査物又は被検者が前記減圧容器７の中心孔７ａ内を通過するようになっている。また、前記減圧容器７の内部が真空室６とされ、これによりシールド容器１１と外部との断熱が図られている。
【００２６】
前記格納容器４は、熱伝導性の低い材質によりドーナツ状に形成され、前記超伝導磁石２を浸漬した状態でその内部が完全に満たされない量の液体ヘリウム５０を収容している。
【００２７】
前記格納容器４の上部にはスリーブ５が形成され、このスリーブ５内に冷凍機９が着脱可能に挿入される。この冷凍機９は、後に詳述するように前記スリーブ５内で気化している液体ヘリウム（すなわち、ヘリウムガス）を再凝縮するものであって、図例では２段式の冷凍機となっている。
【００２８】
前記スリーブ５は、熱伝導性の低い材質により形成された管状の部材である。前記スリーブ５は、前記格納容器４から上方へ延び、その途中部が前記シールド容器１１及び減圧容器７を貫通するとともに、その開口部８により前記格納容器４内を外気に開放し得るようになっている。
【００２９】
具体的に、スリーブ５は、連結管１４、冷却管１５及び、ベローズ管１６が、前記格納容器４から順に、それぞれ同心に連結された構成を有している。
【００３０】
前記連結管１４は、その下端部が前記格納容器４に連結された管であり、その上端部が先広がりの肩部１４ａとされ、この肩部１４ａを介して前記冷却管１５に連結されている。
【００３１】
前記冷却管１５は、径方向の内側及び外側へ膨出するフランジ部１５ａをその上端部に有し、このフランジ部１５ａは、銅の編組線等からなる熱伝導体１８により前記シールド容器１１に対して熱的に接続されている。また、前記フランジ部１５ａの外周縁部上には、前記ベローズ管１６が立設されている。
【００３２】
前記ベローズ管１６は、その上下方向の変形を抑制すべく可撓性を有しており、径方向の外側へ膨出するフランジ部１６ａをその上端部に有している。また、前記ベローズ管１６の途中部は、前記減圧容器７に対して気密状態を形成しつつ固着されている。
【００３３】
さらに、このスリーブ５については、当該スリーブ５内にパージガス（この実施の形態ではヘリウムガス）を導入するガス流生成手段１０が設けられている。
【００３４】
このガス流生成手段１０は、前記スリーブ５内にヘリウムガスを導入するためのガス導入管１９と、このガス導入管１９に対して図外のガス供給源からのヘリウムガスの供給及び停止を切り換えるバルブ２０とを備えている。
【００３５】
前記ガス導入管１９は、その一方の端部が冷却管１５の下部側面に連結されている一方、その他方の端部が前記バルブ２０を介して図外のガス供給源に連結されている。また、前記ガス導入管１９の途中部は、前記減圧容器７との間で気密状態を形成しつつ当該減圧容器７及び前記シールド容器１１を貫通している。
【００３６】
つまり、前記ガス導入管１９は、前記冷却管１５内に側方からヘリウムガスを導入するようになっており、当該冷却管１５内に導入されたヘリウムガスは、対向する側壁に衝突して分流し、図２の矢印Ｙ１に示すように、前記液体ヘリウム５０の液面に吹き付けられるパージガス流と、矢印Ｙ２に示すように、スリーブ５の開口部８側へ向かうパージガス流とを構成する。
【００３７】
一方、前記冷凍機９は、略棒状の冷凍機本体２１と、この冷凍機本体２１に取り付けられた蓋体２２とを備え、この蓋体２２がＯリング２３を介して前記スリーブ５内に気密的に嵌入されるとともに、ボルト２４によって前記フランジ１６ａに対して着脱自在とされていることにより、前記冷凍機本体２１がスリーブ５内に着脱可能に挿入され得るようになっている。
【００３８】
前記冷凍機本体２１は、ギフォードマクマホン（ＧＭ）方式を利用した二段式の冷凍機である。
【００３９】
つまり、前記冷凍機本体２１は、前記スリーブ５内に挿入された状態で、前記ガス導入管１９の上方に配置される二段目冷却ステージ２５と、前記シールド容器１１に当接する一段目冷却ステージ２６とを一体に有している。
【００４０】
前記二段目冷却ステージ２５は、格納容器４内の液体ヘリウム５０を後述する過冷却温度ＴＰ（図３参照）に冷却し得る冷却能力に設定されており、その先端部に設けられたヒータ２７による熱量を調整することにより所望の冷却能力を発揮し得るようになっている。
【００４１】
前記一段目冷却ステージ２６は、前記二段目冷却ステージ２５よりも高い温度に設定されており、前記格納容器４に対する輻射熱を遮蔽し得る温度にシールド容器１１を冷却するようになっている。
【００４２】
前記蓋体２２は、前記スリーブ５に嵌入された状態で当該スリーブ５内に連通する排出管２８と、この排出管２８を介してガスをスリーブ５の外側にのみ導出可能な逆止弁２９とを備え、大気圧と前記スリーブ５の内圧との差圧が逆止弁２９の動作圧以上になると格納容器４内のガスが前記逆止弁２９を介して排出されるようになっている。
【００４３】
なお、図示の極低温装置１では、前記スリーブ５とは別に安全手段１３が設けられている。この安全手段１３は、前記真空容器６との間で気密状態を形成しつつ当該真空容器６及びシールド容器１１を貫通する安全排出管３０と、この安全排出管３０の先端部に設けられた破裂弁３１と、前記安全排出管３０内に配設された複数の遮蔽板３２とを備えている。
【００４４】
前記安全手段１３によれば、前記真空容器６の真空度が劣化する等の何らかの原因で格納容器４への熱侵入量が増加して格納容器４内の圧力が過度に増加したときに、当該圧力に応じて前記破裂弁３１が破壊され前記安全排出管３０を介して格納容器４内のヘリウムガスが排出されるので、前記過度の圧力による格納容器４の破損を抑制することができる。また、前記各遮蔽板３２は、前記安全排出管３０の軸線に沿って並んで配置されているので、前記破裂弁３１側からの輻射熱が格納容器４へ侵入するのを抑制することができる。
【００４５】
さらに、前記極低温装置１は、前記格納容器４内の圧力（すなわち、液体ヘリウム５０の蒸気圧）を検出可能な図外の圧力センサを備えており、この圧力センサの検出結果に基づいて当該格納容器４内の液体ヘリウム５０の温度を算出し、この算出された温度に基づいて前記ヒータ２７の熱量を調整して前記液体ヘリウム５０の温度を所望の温度に保つことが可能とされている。
【００４６】
また、前記減圧容器７は、図外の吸引源によって、その内部（真空室６）を減圧することが可能とされている。
【００４７】
以下、前記極低温装置１の運転方法について、図３に示す通常運転時間Ｔ１、過冷却時間Ｔ２、昇圧時間Ｔ３及び交換時間Ｔ４に分けて説明する。
【００４８】
１）通常運転時間Ｔ１について
前記冷凍機９において、そのヒータ２７の熱量を調整して液体ヘリウム５０の温度を４．２Ｋに維持する。この温度は、大気圧条件下における当該液体ヘリウム５０の沸点である。したがって、この通常運転時間Ｔ１内においては、前記格納容器４内で気化している液体ヘリウム５０による圧力が大気圧となる。このように、通常運転時には格納容器４内が負圧になるのを避けて当該格納容器４の内部と外部との間の圧力差をなくすことにより、前記スリーブ５と冷凍機９との間で気密状態を形成している個所（前記Ｏリング２３）から外気を吸引してしまうといった事態を抑制することができる。
【００４９】
２）過冷却時間Ｔ２
前記冷凍機９を交換するのに先立って、その運転は続けながら、まず、ヒータ２７を切ることにより、液体ヘリウム５０の温度が、４．２Ｋからさらに大気圧条件下における液体ヘリウム５０の沸点よりも低い過冷却目標温度ＴＰに達するまで過冷却する（過冷却工程）。
【００５０】
この過冷却工程では、液体ヘリウム５０をその液面３ａ側から冷却するので、当該液体ヘリウム５０中に対流が生じることによって前記冷凍機９による熱が液面３ａから深部側へ移動して当該液体ヘリウム５０を効果的に冷却することができる。
【００５１】
３）昇圧時間Ｔ３
前記過冷却運転の進行により、液体ヘリウム５０の温度は降下していくが、その温度は、前記圧力センサ（図示せず）の検出圧力により算出される。この液体ヘリウム５０の温度を監視しておき、当該温度が前記過冷却温度ＴＰに達した時点で、前記冷凍機９を停止するとともに、前記ガス流生成手段１０によりスリーブ５内にヘリウムガス流を生成する（ガス流生成工程）。
【００５２】
このガス流生成工程では、図２の矢印Ｙ１に示すように、前記液体ヘリウム５０の液面３ａに向かうヘリウムガス流が導入される。このヘリウムガス流の導入により、急速に圧力が上昇するとともに前記過冷却温度ＴＰに冷却された液体ヘリウム５０の液面温度Ｌ１（図３では一点鎖線で示す）は比較的速く上昇するが、当該液体ヘリウム５０の深部温度Ｌ２（図３では破線で示す）はすぐには上昇しない。
【００５３】
４）交換時間Ｔ４
液体ヘリウム５０の液面温度が４．２Ｋに到達し、格納容器４内の圧力が大気圧に到達したことが前記圧力センサ（図示せず）により検出されると、冷凍機９の交換作業を行う（交換工程）。この交換工程中においても前記ガス流生成手段１０によるヘリウムガスの導入は続行する。これにより、スリーブ５内には、開口部８へ向かうヘリウムガス流（矢印Ｙ２参照）が引き続き生成されているので、前記交換工程時に前記開口部８から当該スリーブ５内へ外気が進入するのを抑制することができる。
【００５４】
すなわち、この運転方法では、前記ヘリウムガスが導入される際に予め液体ヘリウム５０を過冷却温度ＴＰに冷却しているので、ヘリウムガスが液体ヘリウム５０の液面３ａに吹き付けられても、その液面温度Ｌ１が上昇して当該液面３ａ付近の液体ヘリウム５０は蒸発するものの、当該液体ヘリウム５０の深部はしばらくの間低温状態を維持できる。このことは、図４に示す実験結果からも明らかである。
【００５５】
図４は、液体ヘリウム５０の液面３ａの温度を４．２Ｋまで上昇させた場合における、液体ヘリウム５０の深部の温度を示すグラフである。この図において、実線Ｌ３は、前記ガス流生成手段１０によるヘリウムガスの吹き付けにより液体ヘリウム５０の液面３ａの温度を上昇させたもの、一点鎖線Ｌ４は、ヘリウムガスの吹き付けを行わず、スリーブ５内を積極的には加圧しなかったとき（以下、非加圧時と称す）のものをそれぞれ示している。
【００５６】
ヘリウムガスの吹き付け時では、液体ヘリウム５０の液面３ａの温度を４．２Ｋまで上昇させるまでに、ヘリウムガスの温度に伴う熱伝達が深さ約３ｃｍの範囲にしか及んでいないのに対し、非加圧時では、液体ヘリウム５０の液面３ａが４．２Ｋまで上昇する間に、外気の温度に伴う熱伝達が深さ約１６ｃｍの範囲まで及んでいる。したがって、非加圧時においては、液体ヘリウム５０の温度が、その液面３ａだけでなく深部についても４．２Ｋに達し易く、液体ヘリウム５０がその深部からも蒸発するのに対し、ヘリウムガス吹き付け時においては、比較的長時間にわたりその深部の温度を４．２Ｋ未満に維持することができる。
【００５７】
ここで、非加圧時には深部への熱伝達が生じる一方、ヘリウムガスの吹き付け時には深部への熱伝達が殆ど生じないのは、液体ヘリウム５０の液面３ａが４．２Ｋに達するための時間が大きな要因となっている。つまり、非加圧時には液面３ａの温度が４．２Ｋまで上昇するのに比較的時間を要するので、この時間の間に徐々に液体ヘリウム５０中で熱伝達が生じて侵入した熱が深部まで伝わるのに対し、ヘリウムガスの吹き付け時には液面３ａの温度が４．２Ｋまで比較的速く上昇するものの液体ヘリウム５０中での熱伝達が殆ど生じないので、当該ヘリウムガスにより侵入した熱は深部側へ伝わり難く、当該深部側の温度がすぐには上昇しない。
【００５８】
なお、前記交換工程では、必ずしもそれまでスリーブ５に装着されていた冷凍機９を別の冷凍機に入れ替える作業だけでなく、スリーブ５から抜き取った冷凍機９のメンテナンスを迅速に行って、そのメンテナンス後の冷凍機９を再びスリーブ５に挿入する作業を行うこともできる。そして、前記交換工程を終えた後には、上述した通常運転時間Ｔ１の条件で再び稼動することになる。
【００５９】
以上示した運転方法では、液体ヘリウム５０の温度が過冷却温度ＴＰに冷却された状態で前記ガス流生成工程を行うことができるので、当該交換工程中の液体ヘリウム５０の蒸発個所を主に液面３ａのみに抑えることができ、前記交換工程を素早く行うことにより当該交換工程の間における液体ヘリウム５０の蒸発量を効果的に低減することができる。
【００６０】
なお、前記実施形態においては、通常運転時間Ｔ１において液体ヘリウム５０を４．２Ｋに維持し、過冷却時間Ｔ２において４．２Ｋ未満の温度に冷却しているが、これに限定されることはなく、例えば、図５に示すように、通常運転時間Ｔ１において、予め液体ヘリウム５０を前記過冷却温度ＴＰで維持しておく、すなわち、通常運転時間Ｔ１の間常に前記過冷却工程を行うこともできる。
【００６１】
この実施形態においても、前記実施形態と同様に冷凍機９の昇圧時間Ｔ３時において、液面温度Ｌ５が比較的速く上昇するものの深部温度Ｌ６を４．２Ｋ未満の温度で維持することができるので、液体ヘリウム５０の蒸発量を効果的に低減することができる。
【００６２】
さらに、この実施形態によれば、冷凍機９の交換工程の前に、改めて前記過冷却工程を実行することが不要となるので、前記交換工程を実行するまでの時間を短縮する（すなわち、前記過冷却時間Ｔ２を別途行うことを不要とする）ことができ、メンテナンスの作業性を向上することができる。
【００６３】
なお、前記実施形態では、冷凍機９の二段目冷却ステージ２５に設けられたヒータ２７により、当該二段目冷却ステージ２５の冷却能力を調整し、間接的に格納容器４内の圧力（ヘリウム５０の温度）を調整するようにしているが、このヒータ２７に代えて又は加えて、図２に示すように、液体冷媒３中（格納容器４内）に設けられたヒータ３３（図２参照）による熱量を調整することによって、ヘリウム５０に付与する熱量を調整して、格納容器４内の圧力を調整することもできる。
【図面の簡単な説明】
【００６４】
【図１】本発明の実施形態に係る極低温装置が搭載されたＭＲＩの正面断面略図である。
【図２】図１の極低温装置の要部を拡大して示す正面断面図である。
【図３】図１の極低温装置における液体溶媒の温度を示すグラフである。
【図４】液体ヘリウムの液面の温度を４．２Ｋまで上昇させた場合における、液体ヘリウムの深部の温度を示すグラフである。
【図５】別の実施形態に係る図３相当図である。
【符号の説明】
【００６５】
１    極低温装置
２    超伝導磁石
３    液体ヘリウム
３ａ    液面
４    格納容器
５    スリーブ
８    開口部
９    冷凍機
１０    ガス流生成手段
１１    シールド容器
【図１】
2006200771.tif 000003
【図２】
2006200771.tif 000004
【図３】
2006200771.tif 000005
【図４】
2006200771.tif 000006
【図５】
2006200771.tif 000007